(57)【特許請求の範囲】
【請求項１】
照明装置の制御を行う操作手段と、前記照明装置の状態を監視する制御処理部とを有して前記照明装置を監視制御する制御装置、並びに、前記制御装置を設定する設定装置を備えて構成される照明制御システムにおいて、
前記制御装置は、前記操作手段に対する操作の継続時間を計測するとともに、
前記制御処理部は、前記操作手段に対する操作が所定時間に達するまでに終了した場合には、当該操作を第１の操作と判断して当該操作の終了時に、前記照明装置の照明の点灯、消灯の制御を行い、
前記操作手段に対する操作が所定時間以上継続された後に終了した場合には、当該操作を第２の操作と判断して当該操作の終了時に、前記照明装置を制御する前記制御装置を前記設定装置に設定するために前記設定装置に所定のデータ列を送信する、ことを特徴とする制御装置。
【請求項２】
前記操作手段は操作釦であり、前記操作釦に対する前記第１の操作と、前記第２の操作は、同一の操作釦の押下であることを特徴とする請求項１に記載の制御装置。
【発明の詳細な説明】
【０００１】
【発明の属する技術分野】
本発明は、照明装置を制御する照明制御システムにおける制御装置に関する。
【０００２】
【従来の技術】
従来の照明制御システムは、図１０（ａ）に示すように、複数の照明装置のうち、例えば、照明装置Ｂ１の照明の点灯、消灯であるＯＮ／ＯＦＦを制御するための操作釦１と、制御装置Ａ１を照明装置Ｂ１を制御する制御装置として設定する設定処理を行うサービススイッチ８０があった。
【０００３】
照明装置Ｂ１の制御である照明のＯＮ／ＯＦＦについては、操作釦１を、押下するなどの操作により行っていた。設定装置Ｃは、照明装置Ｂ１を制御装置Ａ１で制御するように設定するためのものであるが、制御装置Ａ１を実際に設定するためには、複数の制御装置のうちから、制御装置Ａ１で、しかも、操作釦１で照明装置Ｂ１を制御するということを、設定装置Ｃに設けられたデータベースに、設定しなければならない。この設定処理のために、制御装置Ａ１には、サービススイッチ８０が設けてある。このサービススイッチ８０を用いた、設定装置Ｃへの制御装置Ａ１の設定としては、設定装置Ｃから、実際の制御装置Ａ１がどれであるかを問い合わせるデータが通信回線上に送信されたとき、制御装置Ａ１に備えられたサービススイッチ８０を押下することで、制御装置Ａ１から設定装置Ｃへ応答のデータが送信される。
【０００４】
しかし、サービススイッチ８０は、通常、操作されないように制御装置Ａ１の裏面であるなど、施工したときに、表から見えないようなところに設けられる。そのため、一度、サービススイッチ８０により、設定を行った後、再度、設定を行うことになると、施工した制御装置を取り外し、裏面のサービススイッチ８０を押下し、設定を行う。設定後は、再度、施工を行わなければならないといった、非常に手間のかかる作業となってしまう。また、制御装置Ａ１に、照明装置の制御を行う操作釦のほかに、別途サービススイッチ８０を設けなければならない。さらに、図１０（ｂ）に示すように、サービススイッチ８０を押下することで、設定装置Ｃのデータベースに制御装置を設定する設定処理を行うのであるが、この設定は、制御装置単位で登録が行われるため、制御装置Ａ１に設けられた個々の操作釦が制御する照明装置は、設定装置Ｃのデータベースに登録された組み合わせにしたがって、自動的に設定されてしまう。すなわち、制御装置Ａ１において、操作釦１は照明装置Ｂ１、照明装置Ｂ２を制御し、操作釦２は照明装置Ｂ１を制御するといったように、制御装置Ａ１を設定装置Ｃに登録すると、制御装置Ａ１の個々の操作釦で制御できる照明装置は、設定装置Ｃのデータベースに登録された組み合わせに決まってしまう。したがって、再登録する際は、設定装置Ｃのデータベースに制御装置単位でしか登録できないので、登録作業が手間である。
【０００５】
【発明が解決しようとする課題】
そこで、本発明は上記問題点に鑑みてなされたもので、その目的とするところは、照明装置のＯＮ／ＯＦＦの制御を行う操作釦に、設定装置に制御装置の設定処理を行うサービススイッチの機能をもたせることで、サービススイッチを別途設ける必要がなくなり、照明装置を制御する操作釦を設定装置へ再設定するときに、施工した制御装置を取り外してから再設定を行う手間を省くとともに、設定装置のデータベースに制御装置単位ではなく、制御装置に設けられた個々の操作釦単位で、登録を行うことのできる制御装置を提供することにある。
【０００６】
【課題を解決するための手段】
上記目的を達成するために本発明の制御装置は、以下の構成を備える。すなわち、請求項１の発明では、照明装置の制御を行う操作手段と、前記照明装置の状態を監視する制御処理部とを有して前記照明装置を監視制御する制御装置、並びに、前記制御装置を設定する設定装置を備えて構成される照明制御システムにおいて、前記制御装置は、前記操作手段に対する操作の継続時間を計測するとともに、前記制御処理部は、前記操作手段に対する操作が所定時間に達するまでに終了した場合には、当該操作を第１の操作と判断して当該操作の終了時に、前記照明装置の照明の点灯、消灯の制御を行い、前記操作手段に対する操作が所定時間以上継続された後に終了した場合には、当該操作を第２の操作と判断して当該操作の終了時に、前記照明装置を制御する前記制御装置を前記設定装置に設定するために前記設定装置に所定のデータ列を送信する、ことを特徴とする制御装置。
【０００８】
請求項２の発明では、前記操作手段は操作釦であり、前記操作釦に対する前記第１の操作と、前記第２の操作は、同一の操作釦の押下であることを特徴とする。
【０００９】
【発明の実施の形態】
以下、本発明の実施の形態を図示例と共に説明する。本発明に係わる照明制御システムを構成する制御装置の第１の実施の形態を図１を参照して、以下に説明する。
【００１０】
まず、図１（ａ）を参照して、本実施の形態における制御装置の構成を説明する。制御装置は、通信回線からの信号を入力し処理する通信処理部７０と、固有のデータが付与され、個々の照明装置を判別可能な照明装置の照明のＯＮ／ＯＦＦ等を制御する操作手段として、個別のデータが付与された操作釦１、操作釦２、操作釦３、操作釦４と、それぞれの操作釦に対応して、照明装置の状態を表示するための表示部５、表示部６、表示部７、表示部８と、を備えている。以下では、操作釦１についてのみ説明を行うが、他の操作釦２、操作釦３、操作釦４においても同様である。操作釦１で制御する照明装置を照明装置Ｂ１であるとするとき、操作釦１による照明装置Ｂ１の動作設定を記憶する設定記憶部５０と、操作釦１による制御信号の処理などを行う制御処理部１０と、を備える。また、照明装置Ｂ１の照明のＯＮ／ＯＦＦの制御を行う第１の操作は、操作釦１を所定時間未満押下することにより、行うものであり、設定処理を行う第２の操作は、同一の操作釦１を所定時間以上継続して押下するものである。本実施の形態では、設定処理として、制御装置と操作釦の組み合わせを表わすデータを設定装置Ｃに送信することで、設定装置Ｃに制御装置と操作釦の組み合わせを認識させている。
【００１１】
本実施の形態における、照明装置Ｂ１を制御する制御装置Ａ１を設定装置Ｃに設定する設定処理動作を説明する。設定処理を行う際には、照明装置に固有のデータが記述されたデータベースを有している設定装置Ｃが、通信回線上に、照明装置を実際に制御する制御装置を呼び出す信号を送出する。データベース上に記述された固有のデータを有する実際の照明装置Ｂ１を制御させたい制御装置Ａ１に応答信号を送出させることで、複数ある制御装置のうち、応答信号を送出した制御装置Ａ１の操作釦１が、データベース上に記述された照明装置Ｂ１を実際に制御する操作釦１として設定される。本実施の形態では、操作釦１を所定時間以上継続して押下することで、応答信号の送出を行っている。
【００１２】
このようにして制御装置Ａ１の操作釦１、設定装置Ｃに対して、個々に応答信号を送出しているので、図１（ｂ）に示すように、設定データベースに設定された制御する照明装置の組み合わせを操作釦個々に選択することができる。
【００１３】
次に、図２を参照して、本実施の形態の動作を詳細に説明する。照明制御システムにおける処理を開始すると、操作釦１の押下があったかを検出する（ステップＳＡ１）。この瞬間を時刻０として、操作釦１の押下継続時間の計測を開始する(ステップＳＡ２)。操作釦１が押下されていなければ、ステップＳＡ１の操作釦１の検出を繰り返す。操作釦１が押下されていれば、時刻Ｔ１に照明のＯＮ／ＯＦＦ制御を行う（ステップＳＡ３）。照明制御を行った後でも、操作釦１が押下されたままであるかを検出する（ステップＳＡ４）。もしここで、操作釦１が開放されていれば、再度、操作釦１が押下されたかを検出するステップＳＡ１に戻る。操作釦１が開放されず、時刻Ｔ２においても押下が継続されているかを判断する（ステップＳＡ５）。時刻Ｔ２を経過していなれば、ステップＳＡ４に戻り、操作釦１の押下の検出を行う。時刻Ｔ２を経過していれば、照明装置Ｂ１と制御装置Ａ１を設定する設定処理を行い（ステップＳＡ６）、処理終了となる。以上が、本実施の形態における制御装置Ａ１の動作である。
【００１４】
本実施の形態における制御装置Ａ１の動作タイミングを、図７（ａ）を参照して以下に説明する。図７（ａ）に示すように、操作釦１が押下され（ステップＳＡ１）、時刻Ｔ１に、照明装置Ｂ１の照明のＯＮ／ＯＦＦ制御が行われる（ステップＳＡ３）。操作釦１の押下が時刻Ｔ２においても継続されていると、時刻Ｔ２に設定処理が開始される（ステップＳＡ６）。すなわち、時刻Ｔ２を越えて、操作釦１の押下を継続していれば、所定の時刻Ｔ２に自動的に設定処理に移行できるものである。
【００１５】
本実施の形態により、照明装置と制御装置を設定するための機能を、照明装置のＯＮ／ＯＦＦを制御する操作釦に備えたため、サービススイッチを別途設ける必要がなくなるとともに、制御装置を取り外すことなく、設定を行う際に、施工の手間を簡略化することが可能となる。
【００１６】
本発明に係わる制御装置の第２の実施の形態を、以下に説明する。なお、本実施の形態は、上述した第１の実施の形態における構成と同じであるので、動作説明だけを行い、構成の詳細な説明は省略する。図７（ｂ）に示すように、本実施の形態は、第１の実施の形態において、操作釦１の押下後、時刻Ｔ２で、自動的に設定処理に移行していたものを、時刻Ｔ２以後である時刻Ｔ４に、操作釦１を開放することで、初めて設定処理に移行するようにしたものである。
【００１７】
次に、図３を参照して、本実施の形態における制御装置Ａ１の動作を説明する。図２に示すフローチャートと異なるステップのみを説明し、同様のステップの詳細な説明は省略する。図３に示すフローチャートのうち、ステップＳＡ５までは、図２に示すフローチャートと同一の処理を行う。ステップＳＡ５で、時刻Ｔ２を経過していれば、現在の時刻おいて、操作釦１が開放されているかを検出する（ステップＳＢ１）。もし開放されず、押下されたままであれば、再度、ステップＳＢ１に戻り、操作釦１の開放検出を行う。もし、操作釦１が開放されていれば、設定処理を行い（ステップＳＢ２）、処理を終了する。以上が、本実施の形態における制御装置Ａ１の動作である。
【００１８】
本実施の形態により、操作釦を開放してから、設定処理を開始するものであり、操作釦をどの時刻まで押下を継続するかで、照明装置のＯＮ／ＯＦＦと、設定処理とを自動判別し、それぞれの操作を１つの操作釦で行うことが可能となり、設定処理用のサービススイッチを別途設ける必要がなくなるとともに、設定を行う際に、施工の手間を簡略化することが可能となる。
【００１９】
本発明に係わる制御装置の第３の実施の形態を、以下に説明する。なお、本実施の形態は、上述した第１の実施の形態における構成と同じであるので、動作説明だけを行い、構成の詳細な説明は省略する。図８（ａ）に示すように、本実施の形態は、操作釦１の押下後、押下が継続されていれば、時刻Ｔ１において、照明装置Ｂ１を制御することなく、時刻Ｔ２に操作釦１の押下を検出し、この時刻においても押下が継続されていれば、時刻Ｔ２に設定処理を開始するものである。
【００２０】
次に、図４を参照して、本実施の形態における制御装置Ａ１の動作の説明をする。図２に示すフローチャートと異なるステップのみを説明し、同じステップの詳細な説明は省略する。図４に示すフローチャートのうち、ステップＳＡ２までは、図２に示すフローチャートと同一の処理を行う。ステップＳＡ２の後、ステップＳＣ１に移り、操作釦１が開放されていなければ、ステップＳＡ２に戻り、押下検出時間の計測を継続する。開放されていれば、開放された時点の時刻が、時刻Ｔ２より以前か、以後かを判別する（ステップＳＣ２）。時刻Ｔ２以前であれば、照明の制御を行う（ステップＳＣ３）。時刻Ｔ２以後であれば、設定処理を開始する（ステップＳＣ４）。以上が、本実施例における制御装置Ａ１の動作の説明である。
【００２１】
本実施の形態により、制御装置を設定装置に設定するための機能を、照明装置のＯＮ／ＯＦＦを制御する操作釦に備えたため、サービススイッチを別途設ける必要がなくなるとともに、設定を行う際に、施工の手間を簡略化することが可能となる。
【００２２】
本発明に係わる制御装置Ａ１の第４の実施の形態を、以下に説明する。なお、本実施の形態は、上述した第１の実施の形態における構成と同じであるので、動作説明だけを行い、構成の詳細な説明は省略する。図８（ｂ）に示すように、本実施の形態は、操作釦１の押下後、押下が継続されていれば、時刻Ｔ１において、照明装置Ｂ１を制御することなく、時刻Ｔ２においても操作釦１の押下の継続を検出すれば、操作釦１の開放時刻Ｔ７以降の時刻Ｔ８に設定処理を開始するものである。
【００２３】
次に、図５を参照して、本実施の形態における制御装置Ａ１の動作の説明をする。ここでは、図４に示すフローチャートと異なるステップのみを説明し、同じステップの詳細な説明は省略する。図５に示すフローチャートのうち、ステップＳＡ２までは、図２に示すフローチャートと同一の処理を行う。ステップＳＡ２の後、操作釦１の押下時間が時刻Ｔ２を越えているかの判断を行う（ステップＳＤ１）。時刻Ｔ２以後であれば、設定処理に移行し（ステップＳＤ４）、時刻Ｔ２以前であれば、操作釦１が開放されたかを検出する（ステップＳＤ２）。もし、操作釦１が開放されていなければ、再度ステップＳＤ１に戻り、押下時間の比較判断を行う。操作釦１が開放されていれば、照明装置Ｂ１を制御する（ステップＳＤ３）。以上が、本実施例における制御装置Ａ１の動作の説明である
本実施の形態により、制御装置を設定装置に設定するための機能を、照明装置のＯＮ／ＯＦＦを制御する操作釦に備えたため、サービススイッチを別途設ける必要がなくなるとともに、設定を行う際に、施工の手間を簡略化することが可能となる。
【００２４】
本発明に係わる制御装置Ａ１の第５の実施の形態を、以下に説明する。図９に示すように、本実施の形態は、操作釦１を時刻Ｔ２まで、押下し続けると、自動的に設定処理モードに移行する。設定処理モードに移行してから、操作釦１が時刻Ｔ９に、一度開放され、時刻Ｔ１０に再度操作釦１を押下することで、時刻Ｔ１１に実際に設定処理を行うものである。なお、本実施の形態は、上述した第１の実施の形態における構成と同じであるので、動作説明だけを行い、構成の詳細な説明は省略する。
【００２５】
次に、図６を参照して、本実施の形態における制御装置Ａ１の動作を説明する。図２に示すフローチャートと異なるステップのみを説明し、同じのステップの詳細な説明は省略する。図６に示すフローチャートのうち、ステップＳＡ５までは、図２に示すフローチャートと同一の処理を行う。ステップＳＡ５で、時刻Ｔ２を経過していれば、設定処理を行うモードである設定処理モードに移行する（ステップＳＥ１）。時刻Ｔ２以後、設定処理モードに移行してからの経過時間の計測を開始し（ステップＳＥ２）、２度目の操作釦１の押下を検出する（ステップＳＥ３）。操作釦１が押下されていなければ、設定処理モードに移行してからＴ３時間経過したかどうかを判別し（ステップＳＥ５）、Ｔ３時間経過していれば、処理を終了する。Ｔ３時間経過していなければ、ステップＳＥ３に戻る。また、ステップＳＥ３で、操作釦１が押下されていれば、実際に設定処理を開始し（ステップＳＥ４）、ステップＳＥ５に移行する。以上が、本実施の形態における制御装置Ａ１の動作の説明である。
【００２６】
本実施の形態により、通話釦の押下の継続時間の違いで、照明装置のＯＮ／ＯＦＦ制御機能と、設定処理機能とを兼用することが可能となるので、別途設定処理用のサービススイッチを設ける必要がなくなるとともに、設定を行う際に、施工の手間を簡略化することが可能となる。
【００２７】
以上、本発明の好適な実施の形態を説明したが、本発明はこの実施の形態に限らず、種々の形態で実施することができる。
【００２８】
【発明の効果】
上記のように本発明の請求項１に係る制御装置は、操作手段に、照明装置のＯＮ／ＯＦＦ制御機能と、設定処理機能を兼用できるようにしたので、別途設定処理用のサービススイッチを設ける必要がなくなるとともに、照明装置を制御するときの操作と、設定処理を行うときの操作とを、操作手段に対する操作継続時間で区別するようにしたので、簡単に設定を行うことが可能となる。
【００３０】
また、請求項２の発明は、操作手段として、押し釦型の操作釦を備えたので、操作釦が押下される継続時間の違いにより照明装置のＯＮ／ＯＦＦ制御する機能と、設定処理する機能とを区別することが可能となり、２つの機能を同一の操作釦で兼用することが可能となる。
【図面の簡単な説明】
【図１】本発明に係わる制御装置の第１の実施の形態を示す図である
【図２】上記制御装置に係わる動作を示す図である
【図３】本発明に係わる制御装置の第２の実施の形態における動作を示す図である
【図４】本発明に係わる制御装置の第３の実施の形態における動作を示す図である
【図５】本発明に係わる制御装置の第４の実施の形態における動作を示す図である
【図６】本発明に係わる制御装置の第５の実施の形態における動作を示す図である
【図７】本発明に係わる制御装置の動作タイミングを示す図である
【図８】本発明に係わる制御装置の動作タイミングを示す図である
【図９】本発明に係わる制御装置の動作タイミングを示す図である
【図１０】従来の制御装置を示す図である
【符号の説明】
１０        制御処理部
１          操作釦
２          操作釦
３          操作釦
４          操作釦
５          表示部
６          表示部
７          表示部
８          表示部
４０        状態記憶部
５０        設定記憶部
６０        設定処理部
７０        通信処理部
８０        サービススイッチ
９０        状態表示部
Ａ１        制御装置
Ａ２        制御装置
Ｂ１        照明装置
Ｂ２        照明装置
Ｃ          設定装置
【図１】
0004366871.tif 000002
【図２】
0004366871.tif 000003
【図３】
0004366871.tif 000004
【図４】
0004366871.tif 000005
【図５】
0004366871.tif 000006
【図６】
0004366871.tif 000007
【図７】
0004366871.tif 000008
【図８】
0004366871.tif 000009
【図９】
0004366871.tif 000010
【図１０】
0004366871.tif 000011